(57)【要約】【課題】卓幅や設置スペースを小さくするとともに、ディスプレイの視認性を良くする。【解決手段】卓状の本体部７ａに３段のテーブル７ｂ〜７ｄを設け、中段及び下段のテーブル７ｃ，７ｄを上段のテーブル７ｂより本体部７ａの前面側に突出して設けるとともに、中段のテーブル７ｃを本体部７ａの背面側にスライド可能とし、上段のテーブル７ｂ上に液晶ディスプレイ４を実装し、中段のテーブル７ｃ上に操作パネル２を実装するとともに、下段のテーブル７ｄ上にキーボード３を実装し、下段のテーブル７ｄ上のキーボード３を操作する際には中段のテーブル７ｃを本体部７ａの背面側にスライドさせる。【選択図】図１
2008125790.tif 000002
【特許請求の範囲】
【請求項１】
卓状の本体部に３段のテーブルを設け、中段及び下段のテーブルを上段のテーブルより本体部の前面側に突出して設けるとともに、中段のテーブルを本体部の背面側にスライド可能とし、上段のテーブル上にディスプレイを実装し、操作パネルとキーボードのうちの一方を中段のテーブル上に実装するとともに、操作パネルとキーボードのうちの他方を下段のテーブル上に実装し、かつ下段のテーブル上の操作パネル又はキーボードを操作する際には中段のテーブルを本体部の背面側にスライドさせることを特徴とする監視操作卓。
【請求項２】
卓状の本体部に３段のテーブルを設け、中段及び下段のテーブルを上段のテーブルより本体部の前面側に突出して設けるとともに、上段及び下段のテーブルを本体部の前面側にスライド可能とし、上段のテーブル上にディスプレイを実装し、操作パネルとキーボードのうちの一方を中段のテーブル上に実装するとともに、操作パネルとキーボードのうちの他方を下段のテーブル上に実装し、かつ下段のテーブル上の操作パネル又はキーボードを操作する際には上段及び下段のテーブルを本体部の前面側にスライドさせることを特徴とする監視操作卓。
【発明の詳細な説明】
【技術分野】
【０００１】
この発明は、システムの監視及び操作を行うための監視操作卓に関するものである。
【背景技術】
【０００２】
一般に、監視操作卓上に操作パネルとキーボードの両方を実装する場合、次のような構造となる。まず、図５（ａ），（ｂ）に示すように、監視操作卓１の卓状の本体部１ａの上部に設けられたテーブル１ｂ上に操作パネル２とキーボード３とを横並びに実装する。４は同じくテーブル１ｂ上に実装された液晶ディスプレイ、５は操作パネル２又はキーボード３の操作を行う操作員である。あるいは、図６（ａ），（ｂ）に示すように、監視操作卓６の卓状の本体部６ａの上部に設けられたテーブル６ｂの下側に引き出し６ｃを出し入れ自在に設け、テーブル６ｂ上に操作パネル２を実装するとともに、引き出し６ｃ上にキーボード３を実装する。又は、テーブル６ｂ上にキーボード３を実装し、引き出し６ｃ上に操作パネル２を実装する。
【０００３】
なお、この出願の発明に関連する先行技術文献情報としては、次のものがある。
【特許文献１】特開平９−１９８１６１号公報
【発明の開示】
【発明が解決しようとする課題】
【０００４】
しかしながら、図５に示すように、監視操作卓１のテーブル１ｂ上に操作パネル２とキーボード３を横並びにして設置した場合、監視操作卓１の卓幅Ｌ１が大きくなり、コストアップの要因になるとともに、監視操作卓１の設置スペースを広く取る必要が生じた。又、図６に示すように、テーブル６ｂ上に操作パネル２を実装するとともに、引き出し６ｃ上にキーボード３を実装した場合、操作員５がキーボード３を操作する際に、引き出し６ｃを引き出した状態でキーボード３を操作するので、操作員５と液晶ディスプレイ４との距離Ｌ２が遠くなり、液晶ディスプレイ４の視認性が悪くなった。このことは、テーブル６ｂ上にキーボード３を実装するとともに、引き出し６ｃ上に操作パネル２を実装した場合に、操作パネル２を操作する際にも同様であった。
【０００５】
この発明は上記のような課題を解決するために成されたものであり、卓幅や設置スペースを小さくして安価にできるとともに、ディスプレイの視認性が良い監視操作卓を得ることを目的とする。
【課題を解決するための手段】
【０００６】
この発明の請求項１に係る監視操作卓は、卓状の本体部に３段のテーブルを設け、中段及び下段のテーブルを上段のテーブルより本体部の前面側に突出して設けるとともに、中段のテーブルを本体部の背面側にスライド可能とし、上段のテーブル上にディスプレイを実装し、操作パネルとキーボードのうちの一方を中段のテーブル上に実装するとともに、操作パネルとキーボードのうちの他方を下段のテーブル上に実装し、かつ下段のテーブル上の操作パネル又はキーボードを操作する際には中段のテーブルを本体部の背面側にスライドさせるものである。
【０００７】
請求項２に係る監視操作卓は、卓状の本体部に３段のテーブルを設け、中段及び下段のテーブルを上段のテーブルより本体部の前面側に突出して設けるとともに、上段及び下段のテーブルを本体部の前面側にスライド可能とし、上段のテーブル上にディスプレイを実装し、操作パネルとキーボードのうちの一方を中段のテーブル上に実装するとともに、操作パネルとキーボードのうちの他方を下段のテーブル上に実装し、かつ下段のテーブル上の操作パネル又はキーボードを操作する際には上段及び下段のテーブルを本体部の前面側にスライドさせるものである。
【発明の効果】
【０００８】
以上のようにこの発明の請求項１によれば、テーブルを３段構造としたので、ディスプレイ、操作パネル及びキーボードの実装場所を容易に確保することができ、監視操作卓の卓幅や設置スペースを小さくすることができるとともに、安価にすることができる。又、中段のテーブルを本体部の背面側にスライド可能としたので、下段のテーブル上の操作パネル等の操作の場合は中段のテーブルを本体部の背面側にスライドさせるだけで良く、操作上の支障は無く、また操作員とディスプレイとの距離は不変であるので、ディスプレイの視認性は良い。
【０００９】
又、請求項２によれば、やはりテーブルを３段構造としたので、ディスプレイ、操作パネル及びキーボードの実装場所を容易に確保することができ、監視操作卓の卓幅や設置スペースを小さくすることができるとともに、安価にすることができる。又、上段、下段のテーブルを本体部の前面側にスライド可能としたので、下段のテーブル上の操作パネル等の操作の場合は下段のテーブルを本体部の前面側にスライドさせるだけで良く、また上段のテーブルも本体部の前面側にスライドさせるので、操作員とディスプレイとの距離は不変であり、操作上の支障は生じず、ディスプレイの視認性も良い。
【発明を実施するための最良の形態】
【００１０】
実施最良形態１
以下、この発明を実施するための最良の形態を図面とともに説明する。図１（ａ），（ｂ）はこの発明の実施最良形態１による監視操作卓の正面図及び操作パネルを操作する際の側面図であり、図２は同じく監視操作卓のキーボードを操作する際の側面図である。実施最良形態１による監視操作卓７においては、卓状の本体部７ａに３段のテーブル７ｂ〜７ｄを設け、中段及び下段のテーブル７ｃ，７ｄを上段のテーブル７ｂより本体部７ａの前面側に突出して設けるとともに、中段のテーブル７ｃを本体部７ａの背面側にスライド可能に設ける。上段のテーブル７ｂ上に液晶ディスプレイ４を実装し、操作パネル２を中段のテーブル７ｃ上に実装するとともに、キーボード３を下段のテーブル７ｄ上に実装する。
【００１１】
上記構成において、操作員５が中段のテーブル７ｃ上の操作パネル２を操作する際には、図１（ｂ）に示すように、中段のテーブル７ｃが上段のテーブル７ｂより本体部７ａの前面側に突出しているので、操作パネル２の操作を容易に行うことができる。又、操作員５が下段のテーブル７ｄ上のキーボード３を操作する際には、図２に示すように、中段のテーブル７ｃを本体部７ａの背面側にスライドさせて行う。
【００１２】
実施最良形態１においては、テーブルを３段構造としたので、液晶ディスプレイ４、操作パネル２及びキーボード３を上段、中段及び下段のテーブル７ｂ，７ｃ，７ｄ上に容易に実装することができるとともに、中段のテーブル７ｃをスライド構造としたので、操作に支障はなく、監視操作卓７の卓幅を小さくすることができるとともに、設置スペースも小さくすることができ、コストダウンも可能となる。又、下段のテーブル７ｄ上のキーボード３を操作する場合でも、中段のテーブル７ｃを本体部７ａの背面側にスライドさせるだけで良く、操作員５と液晶ディスプレイ４との距離は不変であるので、液晶ディスプレイ４の視認性は良い。
【００１３】
なお、実施最良形態１においては、中段のテーブル７ｃ上に操作パネル２を実装し、下段のテーブル７ｄ上にキーボード３を実装したが、中段のテーブル７ｃ上にキーボード３を実装し、下段のテーブル７ｄ上に操作パネル２を実装しても良く、同様の効果を得ることができる。
【００１４】
実施最良形態２
図３（ａ），（ｂ）はこの発明の実施最良形態２による監視操作卓の正面図及び操作パネルを操作する際の側面図であり、図４は同じく監視操作卓のキーボードを操作する際の側面図である。実施最良形態２による監視操作卓８においては、卓状の本体部８ａに３段のテーブル８ｂ〜８ｄを設け、中段及び下段のテーブル８ｃ，８ｄを上段のテーブル８ｂより本体部８ａの前面側に突出して設けるとともに、上段及び下段のテーブル８ｂ，８ｄを本体部８ａの前面側にスライド可能に設ける。そして、上段のテーブル８ｂ上に液晶ディスプレイ４を実装するとともに、中段のテーブル８ｃ上に操作パネル２を実装し、下段のテーブル８ｄ上にキーボード３を実装する。
【００１５】
上記構成において、操作員５が中段のテーブル８ｃ上の操作パネル２を操作する際には、図３（ｂ）に示すように、中段のテーブル８ｃが上段のテーブル８ｂより本体部８ａの前面側に突出しているので、操作パネル２の操作を容易に行うことができる。又、操作員５が下段のテーブル８ｄ上のキーボード３を操作する際には、図４に示すように、下段のテーブル８ｄを本体部８ａの前面側にスライドさせて中段のテーブル８ｃより前面側に突出させるとともに、上段のテーブル８ｂを本体部８ａの前面側にスライドさせる。
【００１６】
実施最良形態２においては、テーブルを３段構成としたので、液晶ディスプレイ４、操作パネル２及びキーボード３を上段、中段及び下段のテーブル８ｂ，８ｃ，８ｄ上に容易に実装することができるとともに、下段のテーブル８ｄをスライド構造としたので、操作に支障はなく、監視操作卓８の卓幅を小さくすることができるとともに、設置スペースも小さくすることができ、コストダウンも可能となる。又、下段のテーブル８ｄ上の操作パネル３を操作する際には、下段のテーブル８ｄを本体部８ａの前面側にスライドさせるが、このとき上段のテーブル８ｂも本体部８ａの前面側にスライドさせるので、操作員５と液晶ディスプレイ４との距離が不変であり、液晶ディスプレイ４の視認性は良い。
【００１７】
なお、実施最良形態２においては、中段のテーブル８ｃ上に操作パネル２を実装し、下段のテーブル８ｄ上にキーボード３を実装したが、中段のテーブル８ｃ上にキーボード３を実装し、下段のテーブル８ｄ上に操作パネル２を実装しても良く、同様の効果を得ることができる。
【図面の簡単な説明】
【００１８】
【図１】この発明の実施最良形態１による監視操作卓の正面図及び操作パネルを操作する際の側面図である。
【図２】実施最良形態１による監視操作卓のキーボードを操作する際の側面図である。
【図３】実施最良形態２による監視操作卓の正面図及び操作パネルを操作する際の側面図である。
【図４】実施最良形態２による監視操作卓のキーボードを操作する際の側面図である。
【図５】従来の監視操作卓の正面図及び側面図である。
【図６】従来の他の監視操作卓の正面図及び側面図である。
【符号の説明】
【００１９】
２…操作パネル
３…キーボード
４…液晶ディスプレイ
５…操作員
７，８…監視操作卓
７ａ，８ａ…本体部
７ｂ，８ｂ…上段のテーブル
７ｃ，８ｃ…中段のテーブル
７ｄ，８ｄ…下段のテーブル
【図１】
2008125790.tif 000003
【図２】
2008125790.tif 000004
【図３】
2008125790.tif 000005
【図４】
2008125790.tif 000006
【図５】
2008125790.tif 000007
【図６】
2008125790.tif 000008